(57)【要約】【課題】液体一時保存容器において、保存液体の変質を防止することである。【解決手段】液体一時保存容器１０は、一時保存されるべき保存液体８を注入できる上部開口部と、保存液体８を収容する収容空間２１とを有する有底筒状形状の本体筒部２０と、サービスコック３０と、本体筒部２０の上部に配置される蓋４０と、本体筒部２０内に収められるフロート５０で構成される。フロート５０は、本体筒部２０内の収容空間２１に配置され、本体筒部２０の収容空間２１に収容された保存液体８の上部液面に配置した場合に、保存液体８がフロート５０によって排除される体積に保存液体８の密度を乗じることで得られる値より小さい質量を有する。【選択図】図１
2011093570.tif 000002
【特許請求の範囲】
【請求項１】
一時保存されるべき保存液体を注入できる上部開口部と、保存液体を収容する収容空間とを有する有底筒状形状の本体筒部と、
本体筒部内の収容空間の底部の位置に設けられる内部供給口部に接続され、ハンドルを回転することで収容空間と外部とが連通するサービスコックと、
本体筒部の収容空間に配置されるフロートであって、本体筒部の収容空間に保存液体を収容しその上部に配置した場合に、保存液体がフロートによって排除される体積に収容液体の密度を乗じることで得られる値より小さい質量を有し、保存液体の上部に浮くフロートと、
を備え、
フロートは、
保存液体の上部に浮いている状態で、
本体筒部の収容空間の内周壁とフロートの外周壁との間にある保存液体の液面である吃水液面からフロートの外周壁の上端までの高さを吃水面上高さとするとき、
予め設定された閾値保存体積を吃水液面の上部面積で除した値である閾値高さ以下となる吃水面上高さを有することを特徴とする液体一時保存容器。
【請求項２】
請求項１に記載の液体一時保存容器において、
閾値保存体積は、液体が収められている未開栓のボトルの栓下部からボトルの中の液体の上部液面までに存在する封栓時許容空気体積を基準として設定されることを特徴とする液体一時保存容器。
【請求項３】
請求項1に記載の液体一時保存容器において、
フロートは、フロート上面にくぼみを有することを特徴とする液体一時保存容器。
【請求項４】
請求項1から３のいずれか1に記載の液体一時保存容器において、
本体筒部は、予め定められた曲率半径である底部曲率半径の曲面部で本体筒部の内周壁とその底部が接続されることを特徴とする液体一時保存容器。
【請求項５】
請求項４に記載の液体一時保存容器において、
フロートは、本体筒部の底部曲率半径と同じ曲率半径の曲面部でフロートの外周壁とその底部とが接続されることを特徴とする液体一時保存容器。
【請求項６】
請求項1から５のいずれか1に記載の液体一時保存容器において、
本体筒部の上部開口部に配置される蓋を備えることを特徴とする液体一時保存容器。
【請求項７】
請求項1から６のいずれか1に記載の液体一時保存容器において、
サービスコックは、本体筒部から着脱可能であることを特徴とする液体一時保存容器。
【請求項８】
請求項1から７のいずれか1に記載の液体一時保存容器において、
本体筒部とフロート部とは、ポリエチレンで構成されることを特徴とする液体一時保存容器。
【発明の詳細な説明】
【技術分野】
【０００１】
本発明は、液体を一時的に保存する液体一時保存容器に関する。
【背景技術】
【０００２】
一度開栓することで外気に触れて変質する液体について、開栓後の変質を防止することが求められている。例えば、ワインは抜栓して外気に触れることにより味、香りが劣化してしまうため、いろいろな変質防止策が講じられている。
【０００３】
そこで、業務用の変質防止策として開発されているものには、窒素を充填した栓交換機の中で、栓を抜いて専用プラグに交換し、ボトルは上下逆の状態で本体にセットし、外気の代わりに窒素を送り込みながらワインを注ぎ出すサーバが知られている。また、個人用の変質防止策としては、飲み残しのワインが入っているワインボトルを密栓した後に、ワインボトル内の空気を吸引する手動ポンプや、ワインボトル内の空気を窒素や二酸化炭素などの不活性ガスに置換するガスボンベがある。
【０００４】
その他にも、例えば、特許文献１にワインの酸化防止器具として、ワインボトルより抜いたコルク栓や樹脂栓などにスペーサ付の脱酸素剤を固定してワインボトル内に設置し、ワインボトル内の酸素を消滅させることが開示されている。また、特許文献２には、ボトル容器内の液面に浮く平板状の浮き蓋体を、ボトル容器の口筒部より挿入し、その後浮き蓋体が広がって液面を覆うことが開示されている。
【先行技術文献】
【特許文献】
【０００５】
【特許文献１】特開２００５−１３２４７５号公報
【特許文献２】特開２００８−１８４２０４号公報
【発明の概要】
【発明が解決しようとする課題】
【０００６】
上記のように、業務用の変質防止策は、高価で大掛かりなものとなり、個人用の変質防止策として考案されている上記の器具等は、ボトルを繰り返し抜栓する場合には、その都度、新しく外気がボトル内に入ることになり、抜栓の度に味や香りが劣化しがちである。また、ボトル内の空気を吸引する、またはガス置換を行う場合において、過度に行うと還元されてワインに還元臭が生じるとも言われている。
【０００７】
本発明は、液体を一時保存する際に液体の変質を防止する液体一時保存容器を提供することである。
【課題を解決するための手段】
【０００８】
本発明に係る液体一時保存容器は、一時保存されるべき保存液体を注入できる上部開口部と、保存液体を収容する収容空間とを有する有底筒状形状の本体筒部と、本体筒部内の収容空間の底部の位置に設けられる内部供給口部に接続され、ハンドルを回転することで収容空間と外部とが連通するサービスコックと、本体筒部の収容空間に配置されるフロートであって、本体筒部の収容空間に保存液体を収容しその上部に配置した場合に、保存液体がフロートによって排除される体積に収容液体の密度を乗じることで得られる値より小さい質量を有し、保存液体の上部に浮くフロートと、を備え、フロートは、保存液体の上部に浮いている状態で、本体筒部の収容空間の内周壁とフロートの外周壁との間にある保存液体の液面である吃水液面からフロートの外周壁の上端までの高さを吃水面上高さとするとき、予め設定された閾値保存体積を吃水液面の上部面積で除した値である閾値高さ以下となる吃水面上高さを有することを特徴とする。
【０００９】
また、本発明に係る液体一時保存容器において、閾値保存体積は、液体が収められている未開栓のボトルの栓下部からボトルの中の液体の上部液面までに存在する封栓時許容空気体積を基準として設定されることが好ましい。
【００１０】
また、本発明に係る液体一時保存容器において、フロートは、フロート上面にくぼみを有することが好ましい。
【００１１】
また、本発明に係る液体一時保存容器において、本体筒部は、予め定められた曲率半径である底部曲率半径の曲面部で本体筒部の内周壁とその底部が接続されることが好ましい。また、本発明に係る液体一時保存容器において、フロートは、本体筒部の底部曲率半径と同じ曲率半径の曲面部でフロートの外周壁とその底部とが接続されることが好ましい。
【００１２】
また、本発明に係る液体一時保存容器において、本体筒部の上部開口部に配置される蓋を備えることが好ましい。
【００１３】
また、本発明に係る液体一時保存容器において、サービスコックは、本体筒部から着脱可能であることが好ましい。
【００１４】
また、本発明に係る液体一時保存容器において、本体筒部とフロート部とは、ポリエチレンで構成されることが好ましい。
【発明の効果】
【００１５】
上記構成により、液体一時保存容器は、ハンドルを回転することで収容空間と外部とが連通するサービスコックと、本体筒部の収容空間に配置されるフロートとを備える。フロートは、本体筒部の収容空間に収容された保存液体の上部に配置した場合に、保存液体がフロートによって排除される体積に収容液体の密度を乗じることで得られる値より小さい質量を有し、保存液体の上部に浮く。また、保存液体の上部に浮いている状態で、本体筒部の収容空間の内周壁とフロートの外周壁との間にある保存液体の液面である吃水液面からフロートの外周壁の上端までの高さを吃水面上高さとするとき、吃水面上高さは、予め設定された閾値保存体積を吃水液面の上部面積で除した値である閾値高さ以下とする。
これにより、液体一時保存容器の収容された液体と空気との接触が、最小限に抑えられるので、液体の変質が防止されることとなる。また、サービスコックのハンドルを回転することで、液体の変質を防止した状態を保ちつつ保存液体を取り出すことが可能となる。
【００１６】
また、液体一時保存容器において、閾値保存体積は、液体が収められている未開栓のボトルの栓下部からボトルの中の液体の上部液面までに存在する封栓時許容空気体積を基準として設定されることから、仮に保存液体に変質が生じ得るとしてもボトルが未開栓の状態と同じ程度に維持することができる。
【００１７】
また、液体一時保存容器において、フロートは、フロート上面にくぼみを有するので、必要に応じ、フロート上部に保冷材等の物体を置くことが可能である。
【００１８】
また、液体一時保存容器において、本体筒部は、予め定められた曲率半径である底部曲率半径の曲面部で本体筒部の内周壁と底部が接続されることにより、保存液体を収容し、使い終わった後の液体一時保存容器を洗浄する際、収容空間の底部曲面部の汚れを容易に落としやすくすることが可能となる。
【００１９】
また、液体一時保存容器において、フロートは、本体筒部内の収容空間の底部曲率半径と同じ曲率半径の曲面部でフロートの外周壁と底部とが接続されることにより、フロート下部形状は、収容空間の底部形状とほぼ一致するので、液体一時保存容器の収容空間に保存液体とフロートとを収め、保存液体を取り出す際に、保存液体を収容空間内にほとんど余すことなく外部へ取り出すことが可能となる。
【００２０】
また、液体一時保存容器において、蓋は、本体筒部の上部開口部に配置されることにより、収容空間と外部との接触を抑制し、例えば埃などの収容空間への混入を防ぐことができる。
【００２１】
また、液体一時保存容器において、サービスコックは、本体筒部から着脱可能であることにより、液体一時保存容器の本体筒部、サービスコックの洗浄をしやすくすることができ、サービスコックのみの取替えも可能となる。
【００２２】
また、液体一時保存容器において、本体筒部とフロート部は、食品衛生上認められたポリエチレンで構成されることにより、液体一時保存容器は、食品衛生上の安全性を確保することができ、また、成形が容易で、軽量、安価なものとなる。
【図面の簡単な説明】
【００２３】
【図１】本発明に係る実施の形態の液体一時保存容器の構成を説明する図である。
【図２】本発明に係る実施の形態において、液体一時保存容器の構成部材の詳細を説明する図である。
【図３】本発明に係る実施の形態において、液体が収められている未開栓のボトルの栓下部からボトルの中の液体の上部液面までに存在する封栓時許容空気体積を説明する図である。
【図４】本発明に係る実施の形態において、フロートは、保存液体の上部に浮いている状態で、吃水面上高さが、予め設定された閾値体積を、吃水液面の上部面積で除した値である閾値高さ以下とする様子を説明する図である。
【図５】本発明に係る実施の形態において、液体一時保存容器の使用手順を説明する図である。
【発明を実施するための形態】
【００２４】
以下に図面を用いて本発明に係る実施の形態につき、詳細に説明する。保存液体として、例えばワインを説明するが、これ以外の空気と接触して酸化等により変質する液体でもよい。例えば、この他の醸造酒、蒸留酒、等の酒類、飲料、食用油脂、または化粧料等でもよい。
【００２５】
液体一時保存容器は、ポリエチレンで構成される例を説明するが、食品衛生法等により安全が確保されると認められているその他の材料で構成することができる。例えば、成形加工のしやすい熱可塑性プラスチックを用いることができ、熱可塑性プラスチックでは、ポリプロピレン、ポリスチレン、メタクリル樹脂、ポリエチレンテレフタレート、ポリカーボネート、ポリブチレンテレフタレート、ポリエーテルエーテルケトン樹脂等を用いることができる。なお場合によっては、金属、木を用いるものとしてもよい。
【００２６】
以下では、全ての図面において同様の要素には同一の符号を付し、重複する説明を省略する。また、本文中の説明においては、必要に応じそれ以前に述べた符号を用いるものとする。
【００２７】
図１は、液体一時保存容器１０の構成を説明する図である。図２は、液体一時保存容器１０の各構成部材の詳細を説明する図である。この液体一時保存容器１０は、開栓するとそのままでは次第に変質する液体を一時保存する容器で、フロートを液体の上に浮かべることで空気に液体が触れることを抑制して変質を防止するものである。
【００２８】
液体一時保存容器１０は、本体筒部２０と、サービスコック３０と、蓋４０と、フロート５０を含んで構成される。また、図１には液体一時保存容器１０の構成要素ではないが、フロート５０の上に置かれる物体６と、一時保存対象の保存液体８であるワインが図示されている。
【００２９】
本体筒部２０は、有底筒状形状の部材で、収容空間２１と、曲率半径Ｒ１を有する底部曲面部と、底部２２と、供給口部２４と、上部開口部２６を含んで構成される。本体筒部２０の外形は、意匠を考慮して、樽状形状等であってもよい。また、場合によっては、本体筒部２０は、遮光性を有してもよく、壁面に収容空間２１を見ることができる水量計となりうる窓を備えてもよい。
【００３０】
収容空間２１は、保存液体８が収められる筒状の空間であり、保存液体を収容空間の７割程度入れるものとし、同時にフロート５０を収められる機能を有する。
【００３１】
収容空間２１の底部２２は、平板状で、その内周壁との接続部は予め定められた曲率半径Ｒ１を有する底部曲面部である。この曲率半径Ｒ１は、収容空間２１の底部曲面部の汚れを容易に落としやすくする機能を有する。
【００３２】
供給口部２４は、収容空間２１に収められた保存液体８を取り出すための取り出し口の機能を有する。供給口部２４から外部に向かってテーパネジのメネジ２５の状態で貫通しており、サービスコック３０に設けられるオネジ３５と噛み合うことができる。
【００３３】
上部開口部２６は、本体筒部の壁面上端において収容空間２１が内側から外側に向かって広がるような傾斜面を有し、この傾斜面に沿って、蓋５０を本体筒部２０にぴったりとはめ込むことができる機能を有する。
【００３４】
ここで、本体筒部２０の各部の寸法の一例を示すと、収容空間２１について、壁面の厚み５ｍｍ、高さ１５０ｍｍ、内径９０ｍｍ、その上部開口部２６の傾斜角度は３０度、底部曲面部の曲率半径Ｒ１は１０ｍｍ、供給口部２４のメネジ２５のネジ有効径は１５ｍｍである。
【００３５】
サービスコック３０は、ハンドル３２と、挿通部３４と、連通部３６を含んで構成され、本体筒部２０内の収容空間２１の底部２２の位置に設けられる内部供給口部２４に接続され、ハンドル３２を回転することで収容空間２１と外部とが連通する着脱可能な蛇口状の部材である。
【００３６】
ハンドル３２は、サービスコック３０に付けられる回転つまみであり、これを回転することによって開栓と閉栓とを行うことができる。開栓のときは、内部供給口部２４を介して、収容空間２１とサービスコック３０に設けられる連通部３６が連通し、収容空間２１に収められた保存液体８を外部に取り出すことができる。また、閉栓することで、収容空間２１と連通部３６との間の連通が遮断され、保存液体８の取り出しをやめることができる。
【００３７】
挿通部３４は、サービスコック３０の根元部に設けられるオネジ３５とオネジ３５を貫通する孔とで構成される。貫通する孔は、収容空間２１と連通部３６を連通するためのものである。
【００３８】
オネジ３５を本体筒部２０の供給口部２４にあるメネジ２５にねじ込むことでサービスコック３０を本体筒部２０に取り付けることができる。逆にねじ込みを外すことで、サービスコック３０を本体筒部２０から取り外すことができる。サービスコック３０の閉栓、開栓のいずれの状態においても、収容空間２１に収められた保存液体８が漏れないよう、供給口部２４と挿通部３４の間は隙間が生じないようにするため、挿通部３４のオネジ３５はテーパネジとすることが好ましい。また、本体筒部２０またはサービスコック３０の挿通部３４に、適当なシールリングを設けることが好ましい。
【００３９】
連通部３６は、サービスコック３０の内部を貫通する孔で、これによって、内部収容空間２１と連通し、内部収容空間２１に収容される保存液体８を外部に取り出す機能を有する。
【００４０】
ここで、サービスコック３０の寸法の一例を示すと、ハンドル３２の長さ５０ｍｍ、オネジ３５のネジ有効径１５ｍｍ、連通部３６の内径１０ｍｍである。
【００４１】
蓋４０は、本体筒部２０の上部開口部２６を覆う部材で、収容空間２１と外部との上部からの接触を抑制し、収容空間２１への埃等の混入を防ぐ機能を有する。蓋４０は、円板状部４１と、空気孔４２と、はめ込み部４３と、シールリング溝４４を含んで構成される。
【００４２】
円板状部４１は、蓋４０の本体部を構成する部分で、外径が本体筒部２０の外径とほぼ同じである。
【００４３】
空気孔４２は、蓋４０の上面から底面にかけて貫通する小孔である。空気孔４２は、本体筒部２０に蓋４０をした場合において、収容空間２１の内圧と外気圧を同じにし、サービスコック３０が開栓された際にフロート５０が液面に配置された状態のままで、保存液体８が外部に取り出されることができる機能を有する。なお、場合によっては、空気孔４２を省略することもできるが、液体一時保存容器１０から保存液体８を取り出す際に、蓋４０を外す、または少しずらすことが好ましい。
【００４４】
はめ込み部４３は、円板状部４１の下方の部分で、収容空間２１に蓋４０をはめ込みやすく、蓋４０が本体筒部２０からずれ落ちることなく配置しやすいように先細りの形状４６を有する。その先細りの傾斜角度は、本体筒部２０の上部開口部２６の傾斜角度と同じである。
【００４５】
シールリング溝４４は、はめ込み部４３の先細りの部分の途中に円周状に設けられる溝で、ここに、Ｏ−リング等のシールリングがはめこまれる。これによって、蓋４０を収容空間２１に配置すると、収容空間２１が密栓した状態になる。
【００４６】
ここで、蓋４０の寸法の一例を示すと、円板状部４１は、直径１００ｍｍ、高さ３０ｍｍ、空気孔４２の直径８ｍｍ、はめ込み部４３の直径１００ｍｍ、高さ１０ｍｍ、傾斜角度３０度、シールリング溝４４は、蓋４０の下端から５ｍｍ上方に配置され、その溝幅は２ｍｍである。
【００４７】
フロート５０は、本体筒部２０の収容空間２１に保存液体８を収容してその上部に配置した場合に、保存液体８の上部に浮いて保存液体８の液面を覆う浮き蓋である。フロート５０の比質量は保存液体８の比質量よりも大きくてもよいが、その場合には、全体質量を軽くすることが必要である。フロート５０は、底部外周壁の下部曲面部と、上部のくぼみ５２を有する平底カップ状の形状を有する部材である。
【００４８】
下部曲面部の曲率半径Ｒ２は、先に述べた収容空間２１の底部曲面部の曲率半径Ｒ１とほぼ同一の曲率半径を有し、本体筒部２０内の収容空間２１の底部２２とフロート５０の下部が密着するようになっている。これにより、保存液体８を収容空間２１にほとんど余すことなく取り出すことができる機能を有する。
【００４９】
くぼみ５２は、フロート５０を保存液体８の上面に浮かすために、全体質量を少なくするようにフロート５０の中央部をくりぬいた部分であるが、このくりぬかれた空間に物体６を置くことができる。物体６としては、例えば保冷材等である。このように、くぼみ５２に物体６を置いた場合にも、フロート５０は、保存液体８の液面に浮いて、保存液体８の液面を覆うように、くぼみ５２の深さが設定される。
【００５０】
フロート５０は、食品衛生法上安全性が認められているポリエチレンで構成される。ポリエチレンの比質量は、低密度ポリエチレンが０．９１から０．９３、高密度ポリエチレンが０．９４から０．９６である。したがって、このフロート５０は、保存液体８であるワインの液面に浮く。しかし、比質量が保存液体８の比質量よりも大きくても、くぼみ５２の大きさを工夫することで、フロート５０を保存液体８の上に浮かすことができる。また、くぼみ５２に保冷材等を置いた場合にも、くぼみ５２の大きさによってはフロート５０を保存液体８に十分に浮かせることができる。
【００５１】
フロート５０は、保存液体８であるワインの上に浮かすだけでなく、保存液体８であるワインが空気に触れることをできるだけ抑制する機能を有する。保存液体８が空気に触れることをできるだけ抑制する程度の目安としては、例えばワインが収められている未開栓のボトルの栓下部からボトルの中の液体の上部液面までに存在する封栓時許容空気体積Ｖを用いることができる。その様子を図３と図４を用いて説明する。
【００５２】
図３は、液体が収められている未開栓のボトル２の栓４の下部からボトル２の中の液体７の上部液面までに存在する封栓時許容空気体積Ｖを説明する図である。封栓時許容空気体積Ｖは、仮に保存液体８に酸化等の変質が生じ得るとしても未開栓のボトルの中の液体と同じ程度に維持することができる空気の体積であり、例えば、ワインのフルボトルにおいては、封栓時許容空気体積Ｖは、５ｍｌから１０ｍｌとされる。そこで、封栓時許容空気体積Ｖを基準に、保存液体８が触れるときの上限体積である閾値保存体積を設定することができる。例えば、適当な係数αを用いて、閾値保存体積をαＶと設定することができる。一例としてα＝０．５と設定することができる。勿論これ以外の設定条件を用いてもよい。
【００５３】
図４は、フロート５０が保存液体８の上部に浮いている状態で、フロート４０の外周壁の上端から吃水液面までの高さである吃水面上高さｈ２が、予め設定された閾値保存体積αＶを、吃水液面の上部面積で除した値である閾値高さ以下とする様子を示す図である。
【００５４】
まず、フロート５０が保存液体８の上に浮く条件として、フロート５０は、本体筒部２０の収容空間２１に配置され、本体筒部２０の収容空間２１に収容された保存液体８の上部に配置した場合に、保存液体８がフロート５０によって排除される体積に保存液体８の密度を乗じることで得られる値より小さい質量を有するようにする。
【００５５】
次に、保存液体８が触れる可能性のある空気の上限体積がαＶ以下である条件として、以下のことが必要である。すなわち、フロート５０が保存液体８の上部液面に浮いている状態として、図４に示されるように、本体筒部２０の収容空間２１の内周壁とフロート５０の外周壁との間の隙間にある保存液体８の液面である吃水液面の高さが、フロート５０の底面からｈ１であるとする。そして、吃水液面からフロート５０の外周壁の上端までの高さを吃水面上高さｈ２とするときに、ｈ２に対応する体積ｖは、吃水液面の上部面積に吃水液面上高さｈ２を乗じた値であるので、ｖがαＶ以下であるためには、吃水液面上高さｈ２が、閾値保存体積αＶを吃水液面の上部面積で除した値である閾値高さｈ０以下となることが必要である。したがって、フロート５０の底面からの外周壁高さＨは、ｈ1＜Ｈ≦ｈ１＋ｈ０と設定される。
【００５６】
ここで、保存液体８がワインとしてワイン用の寸法の一例を示すと、フロート５０は、外径８９．８ｍｍ、外周壁高さＨ３０ｍｍ、内径８０ｍｍ、くぼみ５２の深さ２５ｍｍ、底部曲面部の曲率半径Ｒ２は１０ｍｍである。本体筒部２０の収容空間２１の内径は９０ｍｍであるので、本体筒部２０の収容空間２１の内周壁とフロート５０の外周壁との間の隙間は、（９０．０−８９．８）／２＝０．１ｍｍである。
【００５７】
次に、液体一時保存容器１０の使用手順について図５を用いて詳細に説明する。最初は、図５（ａ）に示すように、液体一時保存容器１０を使う前の初期段階として、本体筒部２０、サービスコック３０、蓋４０、フロート５０の各構成部材を洗浄し、本体筒部２０の供給口部２４のメネジ２５にサービスコック３０のオネジ３５をしっかりとねじ込んで固定し、収容空間２１にフロート５０を配置し、蓋４０を配置する。
【００５８】
図５（ｂ）は、液体一時保存容器１０を使う際の準備段階であり、サービスコック３０のハンドル３２を閉栓状態にし、蓋５０とフロート４０を本体筒部２０の収容空間２１から除き、ワインボトル２から本体筒部２０の収容空間２１にワインを注ぎ入れる様子を示したものである。注ぎ込まれたワインが保存液体８である。
【００５９】
このように、液体一時保存容器１０を使う際に本体筒部２０から蓋４０とフロート５０を除くが、ここでフロート５０が収容空間２１の最下部に収まっているときには本体筒部２０内の収容空間２１の底部２２とフロート５０の下部は密着している状態であるから、フロート５０が取り出しにくい。フロート５０を取り出すには、サービスコック３０のハンドル３２を開栓の方向に回転し、本体筒部２０を上下逆にすることで、フロート５０と本体筒部２０内の収容空間２１の底部２２との間に外気が入り、フロート５０が緩やかに降下し取り出すことができる。
【００６０】
このようにしてフロート５０を取り出した後は、再びサービスコック３０のハンドル３２を閉栓の状態にする。そしてこの閉栓の状態で、ワインが入っているボトル２のコルクを抜栓し、収容空間２１へワインを注ぎ入れる。
【００６１】
図５（ｃ）は、本体筒部２０の収容空間２１にワインを注ぎ入れたのち、ワインの液面にフロート５０を配置した一時保存状態を示す図である。すなわち、収容空間２１にワインを注ぎ入れ終わると、その液面にフロート５０を配置して浮かべる。上記の例で、本体筒部２０の収容空間２１の内周壁とフロート５０の外周壁との間の隙間は０．１ｍｍであり、保存液体８が触れる可能性のある空気の体積すなわちｈ２に対応する体積ｖは小さく、これを上記のように閾値保存体積αＶ以下とすることができる。
【００６２】
このようにして、ワインは保存液体８として保存される。フロート５０のくぼみ５２には物体６として、例えば保存液体８を冷やしておくための保冷材等を置くことができる。本体筒部２０の上部には蓋４０をして、外部から埃等が入らないようにすることができる。保存状態の液体一時保存容器１０は、冷蔵庫に入れて保存しておくこともできる。
【００６３】
図５（ｄ）は、液体一時保存容器１０から保存液体８を取り出す様子を説明する図である。蓋４０は空気孔４２を有しているので、蓋４０を本体筒部２０の上部に配置したままとできる。なお、空気孔４２を有さない場合には、本体筒部２０の上部より外しておき、本体筒部２０の収容空間２１が気密空間とならない状態にする。これらの気密空間とならない状態で、サービスコック３０のハンドル３２を開栓側に回転し、本体筒部２０の供給口部２４とサービスコック３０の連通部３６を連通させて、保存液体８をグラス等に取り出すことができる。
【００６４】
保存液体８を液体一時保存容器１０に移し替えた後は、開栓、閉栓を繰り返し行うことができる。残り少なくなった保存液体８を取り出す際にも、本体筒部２０内の収容空間２１の底部２２とフロート５０の下部は各形状が一致するようにしているため、保存液体８がほとんど余すことなく、取り出すことができる。
【産業上の利用可能性】
【００６５】
本発明の液体一時保存容器は、酸化等の変質が生じる液体の一時保存に利用できる。
【符号の説明】
【００６６】
２  ボトル、４  栓、６  物体、８  保存液体、１０  液体一時保存容器、２０  本体筒部、２１  収容空間、２４  供給口部、２５  メネジ、２６  上部開口部、Ｒ１  底部曲面部の曲率半径、３０  サービスコック、３２  ハンドル、３４  挿通部、３５  オネジ、３６  連通部、４０  蓋、４１  円板状部、４２  空気孔、４３  はめ込み部、４４  シールリング溝、４６  先細りの形状、５０  フロート、Ｒ２  下部曲面部の曲率半径、ｈ１  吃水液面の高さ、ｈ２  吃水面上高さ、Ｈ  外周壁高さ、Ｖ  封栓時許容空気体積、ｖ  ｈ２に対応する体積。
【図１】
2011093570.tif 000003
【図２】
2011093570.tif 000004
【図３】
2011093570.tif 000005
【図４】
2011093570.tif 000006
【図５】
2011093570.tif 000007